(57)【要約】【課題】クラウン部の撓みを阻害することなくクラウン部の強度を向上させたゴルフクラブヘッドを提供すること。【解決手段】本ゴルフクラブヘッドは、フェース部、ソール部、クラウン部を備えるウッド型のゴルフクラブヘッドであって、前記クラウン部の一部を構成するクラウン部材を有し、前記クラウン部材は、第１部材と、第２部材と、を有し、前記第１部材は繊維強化樹脂を有し、前記第２部材は金属線からなり、前記第２部材はフェース−バック方向よりトウ−ヒール方向の曲げ剛性が大きい。【選択図】図３
2019165995.tif 000002
【特許請求の範囲】
【請求項１】
フェース部、ソール部、クラウン部を備えるウッド型のゴルフクラブヘッドであって、
前記クラウン部の一部を構成するクラウン部材を有し、
前記クラウン部材は、第１部材と、第２部材と、を有し、
前記第１部材は繊維強化樹脂を有し、
前記第２部材は金属線からなり、
前記第２部材はフェース−バック方向よりトウ−ヒール方向の曲げ剛性が大きいことを特徴とするゴルフクラブヘッド。
【請求項２】
前記第１部材はフェース−バック方向とトウ−ヒール方向とで曲げ剛性が略等しいことを特徴とする請求項１に記載のゴルフクラブヘッド。
【請求項３】
前記第１部材はフェース−バック方向よりトウ−ヒール方向の曲げ剛性が大きいことを特徴とする請求項１に記載のゴルフクラブヘッド。
【請求項４】
前記第１部材は繊維強化樹脂からなる追加部材を有し、
前記追加部材は繊維方向がトウ−ヒール方向となるように配置されていることを特徴とする請求項３に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドでは、ゴルフボールの打撃性能を向上させるため、クラウン部が撓みやすいように考慮されている。一方で、クラウン部の強度も重要であり、クラウン部の強度を向上させるために、例えば、クラウン部を構成する材料として繊維強化樹脂等が用いられている。
【０００３】
しかしながら、クラウン部を構成する材料やその配置の仕方によっては、クラウン部の強度を向上した結果、クラウン部の撓みを阻害する場合があった。
【先行技術文献】
【特許文献】
【０００４】
【特許文献１】特許第４７５９３３３号
【特許文献２】特開２００５−１３７８１９号公報
【特許文献３】特許第４４０３０８４号
【特許文献４】特開２０００−２２９１３５号公報
【発明の概要】
【発明が解決しようとする課題】
【０００５】
本発明は、クラウン部の撓みを阻害することなくクラウン部の強度を向上させたゴルフクラブヘッドを提供することを目的とする。
【課題を解決するための手段】
【０００６】
本ゴルフクラブヘッドは、フェース部、ソール部、クラウン部を備えるウッド型のゴルフクラブヘッドであって、前記クラウン部の一部を構成するクラウン部材を有し、前記クラウン部材は、第１部材と、第２部材と、を有し、前記第１部材は繊維強化樹脂を有し、前記第２部材は金属線からなり、前記第２部材はフェース−バック方向よりトウ−ヒール方向の曲げ剛性が大きいことを要件とする。
【発明の効果】
【０００７】
開示の技術によれば、クラウン部の撓みを阻害することなくクラウン部の強度を向上させたゴルフクラブヘッドを提供できる。
【図面の簡単な説明】
【０００８】
【図１】本実施の形態に係るゴルフクラブヘッド１を例示する図である。
【図２】本実施の形態に係るゴルフクラブヘッド１を例示する分解図である。
【図３】クラウン部材２０の積層構造の一例を示す分解斜視図である。
【図４】クラウン部材２０の積層構造の他の例を示す分解斜視図である。
【発明を実施するための形態】
【０００９】
以下、図面を参照して、実施の形態の説明を行う。なお、各図面において、同一構成部分には同一符号を付し、重複した説明を省略する場合がある。
【００１０】
図１は、本実施の形態に係るゴルフクラブヘッド１を例示する図であり、図１（ａ）は平面図、図１（ｂ）は右側面図である。図１において、矢印ｄ１はトウ−ヒール方向（左右方向）を、矢印ｄ２はトップ−ソール方向（上下方向）を、矢印ｄ３はフェース−バック方向（前後方向）を示している。
【００１１】
図２は、本実施の形態に係るゴルフクラブヘッド１を例示する分解図であり、図２（ａ）はヘッド本体部材１０及びクラウン部材２０を上面側から視た斜視図、図２（ｂ）はヘッド本体部材１０及びクラウン部材２０の右側面図である。
【００１２】
図１及び図２に示すゴルフクラブヘッド１は、ウッド型のゴルフクラブヘッドであって、例えばドライバであるが、ユーティリティやフェアウェイウッドであってもよい。また、ゴルフクラブヘッド１は、複数の部品を接合して組み立てることができる。以下、ゴルフクラブヘッド１について詳説する。
【００１３】
ゴルフクラブヘッド１は、ヘッド本体部材１０と、ヘッド本体部材１０に固着されたクラウン部材２０とを有する中空構造体である。なお、中空構造体の内側の面をヘッド内面、外側の面をヘッド外面と称する場合がある。
【００１４】
ヘッド本体部材１０は、フェース部１１と、クラウン部１２と、ソール部１３と、サイド部１４と、ホゼル部１５とを有する。
【００１５】
フェース部１１は、打撃面となるフェース面を備えた部分である。クラウン部１２は、クラウン部材２０と共にゴルフクラブヘッド１の上部を形成する部分である。クラウン部１２とクラウン部材２０の詳細な構造については後述する。ソール部１３は、ゴルフクラブヘッド１の底部を形成する部分である。サイド部１４は、クラウン部１２とソール部１３とを繋ぐ部分である。ホゼル部１５は、シャフトと連結される部分である。
【００１６】
ヘッド本体部材１０のクラウン部１２は、開口１２１と、開口１２１を囲むように形成された段差部１２２とを有する。段差部１２２は、ヘッド外面よりも一段下がったところに位置しており、クラウン部材２０の外縁部を位置決めし、保持し、固着することができる。クラウン部材２０は、ヘッド本体部材１０のクラウン部１２の段差部１２２に接着剤等により取り付けられ、開口１２１を閉じる。
【００１７】
ヘッド本体部材１０は、例えば、鋳造、鍛造、３Ｄプリンタ、その他の成形方法等により作製することができる。ヘッド本体部材１０の材料としては、例えば、金属材料、非金属材料、金属材料よりも低比重の材料等を用いることができる。具体的な材料としては、例えば、チタン、チタン合金、ステンレス、アルミニウム、アルミニウム合金、鉄系金属、マグネシウム、マグネシウム合金、繊維強化樹脂等が挙げられる。
【００１８】
クラウン部材２０は、樹脂部３０と、金属線４０とを有し、クラウン部１２の一部を構成している。樹脂部３０は、繊維強化樹脂を有している。
【００１９】
金属線４０は、ゴルフクラブヘッド１の外部から視認可能な状態で樹脂部３０に封入されている。金属線４０は、トウ−ヒール方向に延びている。ここで、トウ−ヒール方向に延びているとは、金属線４０がクラウン部材２０内のトウ側の任意の点とヒール側の任意の点とを結んでいることを言い、必ずしも図１（ａ）に示すｄ１と完全に平行である必要はない。
【００２０】
金属線４０をトウ−ヒール方向に配置することにより、フェース−バック方向よりトウ−ヒール方向の曲げ剛性を大きくすることができる。金属線４０としては、例えば、結晶合金や非結晶合金が挙げられ、具体例としてチタンニッケルが挙げられる。金属線の断面形状は例えば楕円を含む円形または多角形状であり、断面の最も小さい幅が例えば０．１ｍｍ〜２．０ｍｍ程度である。
【００２１】
複数の金属線４０を、ゴルフクラブヘッド１の外部から視認可能な状態で樹脂部３０に封入してもよい。この場合、複数の金属線４０は、それぞれがトウ−ヒール方向に延びるように配置することができる。また、複数の金属線４０は、互いが概ね平行であり、それぞれがフェース−バック方向に隣接するように配置することができる。
【００２２】
ここで、概ね平行とは、ゴルフクラブヘッド１を水平面に基準のライ角及び基準のロフト角通りに接地し、水平面の法線方向から視たときに、隣接する金属線の間隔の最大値と最小値との差が１ｍｍ以内であることを言う。なお、水平面の法線方向から視たときに各金属線が直線状に視える必要はなく、曲線状に視えてもよい。或いは、直線状に視えるものと曲線状に視えるものとが混在してもよい。
【００２３】
隣接する金属線４０の間隔Ｐは、概ね一律である。ここで、概ね一律とは、ｎ本目の金属線４０とｎ＋１本目の金属線４０との間隔がｎの値に依らず誤差±１ｍｍ以内であることを言う（ｎ：自然数）。
【００２４】
クラウン部材２０は、例えば、樹脂部３０となる複数のプリプレグの間に金属線４０となる複数の金属線を挟み、加熱しながら加圧することで所定の形状に成形することができる。必要に応じ、クラウン部材２０に塗装等が施されてもよい。また、必要に応じ、クラウン部材２０の表面全体に研磨、機械加工等の処理が行われていてもよい。
【００２５】
図３は、クラウン部材２０の積層構造の一例を示す分解斜視図である。図３に示すように、クラウン部材２０は、例えば、部材３１と部材３３とが順次積層された構造とすることができる。但し、クラウン部材２０の表面は傷つきやすいので、最外層（部材３３の上側）に更にカラークリアのような透明な樹脂を設けても良い。
【００２６】
部材３３は、金属線４０を部材３２で挟持した積層体である。部材３１及び３２により、図１及び図２に示した樹脂部３０を構成することができる。なお、部材３１は本発明に係る第１部材の代表的な一例であり、金属線４０は本発明に係る第２部材の代表的な一例である。
【００２７】
部材３１は、部材３１１、３１２、３１３、及び３１４を備えている。部材３１１は、繊維方向が９０°の繊維強化樹脂である。部材３１２は、繊維方向が０°の繊維強化樹脂である。部材３１３は、繊維方向が９０°の繊維強化樹脂である。部材３１４は、繊維方向が０°の繊維強化樹脂である。
【００２８】
部材３１を部材３１１、３１２、３１３、及び３１４の積層構造とすることにより、繊維方向がフェース−バック方向とトウ−ヒール方向で等方性を有するため、部材３１のフェース−バック方向の曲げ剛性とトウ−ヒール方向の曲げ剛性は略等しい。ここで、略等しいとは、フェース−バック方向の曲げ剛性とトウ−ヒール方向の曲げ剛性との差が±１０％以内であることを指す。
【００２９】
ここで、繊維強化樹脂とは、補強材となる繊維と樹脂との複合材料である。繊維強化樹脂を構成する繊維としては、例えば、ガラス繊維、炭素繊維、アラミド繊維、ポリエチレン繊維、ザイロン繊維、ボロン繊維等が挙げられる。また、繊維強化樹脂を構成する樹脂としては、例えば、エポキシ樹脂、フェノール樹脂、ポリエステル樹脂、ポリカーボネート樹脂等が挙げられる。
【００３０】
また、繊維方向が０°とは、繊維方向がトウ−ヒール方向であることを指す。また、繊維方向が９０°とは、繊維方向がフェース−バック方向であることを指す。
【００３１】
なお、部材３１は、フェース−バック方向の曲げ剛性とトウ−ヒール方向の曲げ剛性を略等しくできれば、積層する部材の数は限定されない。部材３１は、例えば、繊維方向が９０°の繊維強化樹脂と繊維方向が０°の繊維強化樹脂とを１枚ずつ積層した構造や、繊維方向が９０°の繊維強化樹脂と繊維方向が０°の繊維強化樹脂とを交互に３枚以上ずつ積層した構造としてもよい。また、部材３１は、補強材となる繊維を有していない樹脂の層を任意の枚数有してもよいし、０°方向と９０°の方向で剛性の等しい繊維強化樹脂の層を任意の枚数有してもよい。
【００３２】
部材３３は、部材３２を構成する部材３２１、金属線４０、部材３２を構成する部材３２２が順次積層された積層体である。金属線４０のヘッド内側に部材３２１が配置され、金属線４０のヘッド外側に部材３２２が配置されている。部材３２２は、クラウン部材２０の最外層に配置され、金属線４０をヘッド外側から視認可能とする透明性を有する。
【００３３】
部材３２１及び３２２は、補強材としてガラス繊維を含む繊維強化樹脂である。部材３２１及び３２２において、ガラス繊維はクロス状に織られていることが好ましい。ガラス繊維がクロス状に織られている場合、部材３２は、フェース−バック方向とトウ−ヒール方向で繊維が０°方向と９０°方向、もしくは±４５°方向になるように配置することで、フェース−バック方向の曲げ剛性とトウ−ヒール方向の曲げ剛性を略等しくすることができる。
【００３４】
また、ガラス繊維は、炭素繊維に比べて剛性への寄与が小さいので、部材３２１及び３２２をガラス繊維を含む繊維強化樹脂とすることにより、有益なクラウン部１２の変形や戻りを阻害せずにクラウン部１２の強度を上げる（肉厚にする）ことができる。また、ガラス繊維により金属線４０による凹凸が均一化され、クラウン部材２０の表面に傷がつきにくくなる。
【００３５】
なお、図３では、便宜上、金属線４０をシート状の部材として図示しているが、実際には、例えば、複数の金属線４０が部材３２１と部材３２２との間に概ね一定間隔で概ね平行となるようにトウ−ヒール方向に配置される。
【００３６】
このように、ゴルフクラブヘッド１のクラウン部材２０において、金属線４０をトウ−ヒール方向に配置することにより、フェース−バック方向よりトウ−ヒール方向の曲げ剛性を大きくすることができる。その結果、ボール打撃時にクラウン部１２のフェース−バック方向の撓みや反発を阻害することなく、クラウン部１２の強度を向上させることができる。
【００３７】
また、ゴルフクラブヘッド１のクラウン部材２０において、外部から視認可能な状態で金属線４０をトウ−ヒール方向に配置することにより、金属線４０がアライメントマークとして機能するため、打者は飛球線方向を認識しやすくなる。すなわち、ゴルフクラブヘッド１を水平面に基準のライ角及び基準のロフト角通りに接地してアドレスした際に、金属線４０が打者から飛球線方向と垂直になるように視認できるため、打者は飛球線方向に対してゴルフクラブヘッド１を精度よくアライメントすることができる。
【００３８】
また、選択的にトウ−ヒール方向の剛性を上げると共に、剛性の高い方向と金属線４０の方向を合わせて可視化することで、打者にクラウン部１２のトウ−ヒール方向の曲げ剛性を大きいという印象を与えることができる。打者の見た目による印象と実際の剛性とが一致することで、違和感なく打撃を行うことが可能となり、好適な打撃結果を得やすくすることができる。
【００３９】
図３では、部材３１においてフェース−バック方向の曲げ剛性とトウ−ヒール方向の曲げ剛性が略等しい例を示した。しかし、部材３１はフェース−バック方向よりトウ−ヒール方向の曲げ剛性が大きくてもよい。これに関し、図４を参照しながら説明する。
【００４０】
図４は、クラウン部材２０の積層構造の他の例を示す分解斜視図である。図４に示すように、部材３１は追加部材３１５を有している。追加部材３１５は繊維強化樹脂からなり、繊維方向がトウ−ヒール方向となるように配置されている。
【００４１】
なお、図４では、一例として追加部材３１５が最下層に配置されているが、これには限定されず、追加部材３１５は部材３１の任意の位置に配置して構わない。例えば、追加部材３１５は、部材３１４の上層に配置してもよいし、部材３１１と部材３１２との間や部材３１２と部材３１３との間や部材３１３と部材３１４との間に配置してもよい。
【００４２】
このように、部材３１に繊維方向がトウ−ヒール方向となるように配置された繊維強化樹脂を追加することにより、部材３１はフェース−バック方向よりトウ−ヒール方向の曲げ剛性が大きくなる。これにより、部材３１と金属線４０で曲げ剛性の大きい方向が一致するため、ゴルフクラブヘッド１においてフェース−バック方向よりトウ−ヒール方向の曲げ剛性を更に大きくすることができる。その結果、ボール打撃時にクラウン部１２のフェース−バック方向の撓みや反発を阻害することなく、クラウン部１２の強度を更に向上させることができる。
【００４３】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００４４】
１  ゴルフクラブヘッド
１０  ヘッド本体部材
１１  フェース部
１２  クラウン部
１３  ソール部
１４  サイド部
１５  ホゼル部
２０  クラウン部材
３０  樹脂部
３１、３２、３３、３１１、３１２、３１３、３１４、３２１、３２２  部材
４０  金属線
１２１  開口
１２２  段差部
３１５  追加部材
【図１】
2019165995.tif 000003
【図２】
2019165995.tif 000004
【図３】
2019165995.tif 000005
【図４】
2019165995.tif 000006